(57)【要約】【課題】  発電装置と、この発電装置により充電される蓄電装置とから負荷に電力を供給しながら、負荷が変動しても燃料電池に流れる電流を一定にして、燃料電池における出力抵抗損失の発生を防止し、電力の利用効率を高める。【解決手段】  燃料電池セルスタック６１から流れ出る全出力電流は、ある値以上の電流が流れないように制御する定電流装置４３を経由する。燃料電池セルスタック６１からの全出力電流を定電流装置４３へ経由させることにより、燃料電池セルスタック６１から常に一定の電流を取り出す。定電流装置４３を経由した電流は２つの経路に分かれ、一方の電流は、スイッチ４４をがON状態の場合に蓄電装置４５を充電し、他方の電流は、スイッチ４４のON/OFFにかかわらず、補機５０及び電圧調整器５２に流れ込む。蓄電装置４５は、負荷を動作させるのに十分な電力を供給可能な主電源としての能力をもつ。【選択図】    図３
2006236610.tif 000002
【特許請求の範囲】
【請求項１】
負荷に電力を供給する蓄電装置と、
前記蓄電装置を充電するとともに前記負荷に電力を供給する発電装置と、
前記発電装置から前記負荷側をみたときに負荷変動のない状態を形成する手段とを備えることを特徴とする電源システム。
【請求項２】
前記発電装置は燃料電池である請求項１に記載の電源システム。
【請求項３】
前記発電装置の出力電流を一定にし、前記蓄電装置及び前記負荷に供給する定電流装置を備える請求項１または請求項２に記載の電源システム。
【請求項４】
前記発電装置の出力電圧を一定にし、前記蓄電装置及び前記負荷に供給する定電圧装置を備える請求項１または請求項２に記載の電源システム。
【請求項５】
前記定電圧装置は、前記発電装置の出力電圧の変化に応じて前記蓄電装置に流れ込む電流量を可変することにより前記発電装置の出力電圧を一定にする請求項４に記載の電源システム。
【請求項６】
前記蓄電装置は、前記負荷の変動に応じて必要とされる電力を供給し、
前記発電装置は、前記蓄電装置の充電に必要な電力と、前記負荷の変動に応じて必要とされる電力の一部とを供給する請求項１から請求項５のいずれかに記載の電源システム。
【請求項７】
電力供給時には常に前記発電装置と前記蓄電装置との両方から前記負荷に電力を供給する請求項１から請求項６のいずれかに記載の電源システム。
【請求項８】
請求項１から請求項７のいずれかに記載の電源システムから供給される電力により駆動されることを特徴とする電子機器。
【請求項９】
請求項１から請求項７のいずれかに記載の電源システムから供給される電力により駆動されることを特徴とする画像形成装置。
【発明の詳細な説明】
【技術分野】
【０００１】
この発明は、発電装置及びこの発電装置により充電される蓄電装置から、負荷に安定して電力を供給する電源システムと、この電源システムにより電力を供給されて駆動する電子機器及び画像形成装置に関する。
【背景技術】
【０００２】
水素と酸素とを化学反応させて水ができる際に発生するエネルギを電力の形態で取り出す燃料電池の出力電圧は不安定である。負荷に安定した電圧を供給するためには、燃料電池の出力電圧を定電圧電源で安定化してから負荷に供給する。負荷変動が大きい場合においては、定電圧電源から負荷へ供給される電流が大きく変動する。
【０００３】
特許文献１には、燃料電池のみで負荷装置４に電力を供給する燃料電池システムが提案されている。負荷が要求する最大電流を供給するために燃料電池の容量を大きくすると、燃料電池サイズがきわめて大きくなる。また、出力抵抗損失の大きな燃料電池に大きな電流を流すと、電力の利用効率が悪い。
【０００４】
【特許文献１】特開２００３−３３１８９１号公報
【発明の開示】
【発明が解決しようとする課題】
【０００５】
燃料電池で蓄電装置を充電し、燃料電池と蓄電装置との両方から負荷に電力を供給すれば、燃料電池のサイズを小さくしながら、負荷が要求する最大電流を供給することができる。燃料電池と蓄電装置とを併用する場合において、燃料電池の燃料電池の出力抵抗値は、蓄電装置の出力抵抗値に比べて大きいため、変動の大きな負荷に燃料電池から直接電力を供給すると、負荷が大きくなったときに燃料電池に大きな電流が流れ、燃料電池で大きな出力抵抗損失が発生し、電力の利用効率が悪い。
【０００６】
本発明は、発電装置とこの発電装置により充電される蓄電装置とから負荷に電力を供給しながら、負荷が変動しても燃料電池に流れる電流を一定にして、燃料電池における出力抵抗損失の発生を防止し、電力の利用効率を高めた電源システムと、この電源システムから電力を供給されて駆動する電子機器及び画像形成装置を提供することを目的とする。
【課題を解決するための手段】
【０００７】
この発明の第１の電源システムは、負荷に電力を供給する蓄電装置と、蓄電装置を充電するとともに負荷に電力を供給する発電装置と、発電装置から負荷側をみたときに負荷変動のない状態を形成する手段とを備える。
【０００８】
この発明の第２の電源システムは第１の電源システムにおいて、発電装置は燃料電池である。この発明の第３の電源システムは第１または第２の電源システムにおいて、発電装置の出力電流を一定にし、蓄電装置及び負荷に供給する定電流装置を備える。この発明の第４の電源システムは第１または第２の電源システムにおいて、発電装置の出力電圧を一定にし、蓄電装置及び負荷に供給する定電圧装置を備える。この発明の第５の電源システムは第４の電源システムにおいて、定電圧装置は、発電装置の出力電圧の変化に応じて蓄電装置に流れ込む電流量を可変することにより発電装置の出力電圧を一定にする。この発明の第６の電源システムは第１から第５のいずれかの電源システムにおいて、蓄電装置は、負荷の変動に応じて必要とされる電力を供給し、発電装置は、蓄電装置の充電に必要な電力と、負荷の変動に応じて必要とされる電力の一部とを供給する。この発明の第７の電源システムは第１から第６のいずれかの電源システムにおいて、電力供給時には常に発電装置と蓄電装置との両方から負荷に電力を供給する。
【０００９】
この発明の電子機器は、上記いずれかの電源システムから供給される電力により駆動される。この発明の画像形成装置は、上記いずれかの電源システムから供給される電力により駆動される。
【発明の効果】
【００１０】
この発明の電源システム、電子機器及び画像形成装置によれば、発電装置とこの発電装置により充電される蓄電装置とから負荷に電力を供給しながら、負荷が変動しても燃料電池に流れる電流を一定にして、燃料電池における出力抵抗損失の発生を防止し、電力の利用効率を高めることができる。
【発明を実施するための最良の形態】
【００１１】
第１の実施形態のインクジェット記録装置１は、図１(a)の筐体内部の平面図及び図１(b)の筐体内部の排紙トレイ側からみた概略の正面図に示すように、給紙トレイ１０と給紙ローラ１１とレジストローラ１２と搬送ベルト１３と駆動ローラ１４と用紙搬送ローラ１５とラインフィードモータ１６と用紙押さえローラ１７と排紙トレイ１８とシャフト１９とキャリッジ２０と記録ヘッドカートリッジ２１と記録ヘッド２２とケーブル２３とキャリッジモータ２４とワイヤ２５とHPセンサ２６と電源システム２７と制御部２８とを備えている。
【００１２】
給紙トレイ１０は、普通紙やその他の記録媒体を収容している。給紙ローラ１１は、記録媒体を給紙トレイ１０から記録媒体を送り出す。レジストローラ１２は、給紙ローラ１１から送り出される記録媒体を搬送ベルト１３に送りだすタイミングを調整する。搬送ベルト１３は、駆動ローラ１４と用紙搬送ローラ１５とにより回転する無端状ベルトであり、静電吸着により記録媒体を吸着して搬送する。ラインフィードモータ１６は、例えばステッピングモータで構成され、駆動ローラ１４を回転駆動することにより搬送ベルト１３を回転させ、印刷時における副走査を担う。用紙押さえローラ１７は、搬送ベルト１３に静電吸着した記録媒体を押さえつける。排紙トレイ１８は、印刷を終えて搬送ベルト１３からはがされた記録媒体を収容する。シャフト１９は、長手方向を用紙搬送方向と直交する方向に向けて配置され、キャリッジ２０を長手方向に沿って移動可能に支持している。キャリッジモータ２４は、例えばステッピングモータで構成され、キャリッジ２０をシャフト１９に沿って走査させる駆動力を発生させ、印刷時における主走査を担う。ワイヤ２５は、キャリッジモータ２４の駆動力をキャリッジ２０に伝達することにより、キャリッジをシャフト１９に沿って往復運動させる。HPセンサ２６はキャリッジ２０の位置を検出する。キャリッジ２０は、記録ヘッドカートリッジ２１を搭載している。記録ヘッドカートリッジ２１は、インク供給源である１または複数のインク色ごとのインクタンクとともに、記録ヘッド２２を一体化して搭載している。記録ヘッド２２は、搬送ベルト１３に記録面を規制された記録媒体と微小間隔をおくように配置され、インク滴を吐出して記録媒体に画像を形成する。ケーブル２３は、ケーブル２３に結合された端子を介して、適宜のデータ供給源より画像データに応じた記録タイミングパルスを記録ヘッド２２に供給する。電源システム２７は、インクジェット記録装置１の動作に必要な電力を供給する。制御部２８は、インクジェット記録装置１全体の動作を制御する。
【００１３】
記録動作の概要を説明する。制御部２８は、ホストコンピュータなどから画像データを入力し記録データに変換する。制御部２８は、給紙ローラ１１を駆動することにより記録媒体を給紙トレイ１０から送り出し、レジストローラ１２を駆動することにより記録媒体を、先端の曲がりや印字開始タイミングを合わせた後に搬送ベルト１３に送り、ラインフィードモータ１６を駆動することによりレジストローラ１２から送られた記録媒体を搬送ベルト１３に静電吸着させ記録ヘッド２２の位置まで搬送させる。制御部２８は、１ライン分の記録データを展開するとキャリッジモータ２４を駆動しながら記録データに基づいて記録ヘッド２２からインク滴を吐出させ、１ライン分の記録が終了するとラインフィードモータ１６を駆動して改行し、１ライン分を記録する一連の手順を終了する。制御部２８は、この一連の手順を記録媒体の１ページに渡って繰り返し、１ページ分の記録を完了すると、記録媒体を搬送ベルト１３から剥離して排紙トレイ１８に排紙させる。
【００１４】
なお、画像形成装置の一例としてインクジェット記録装置について主に説明するが、画像形成装置は複写装置、ファクシミリ送受信装置、印刷装置、記録装置、複写装置、複合型の装置など各種の画像形成装置であってもよい。また、電子機器の一例として画像形成装置について主に説明するが、電子機器は画像形成装置以外の各種機器であってもよい。
【００１５】
例えば、図２に示す構成を有する複写装置２は、画像読取部３０と制御部３１と給紙部３２と転写装置３３と定着装置３４と排紙部３５と反転部３６と電源システム２７とを備える。画像読取部３０は、原稿サイズ検知装置により原稿台に置かれた原稿のサイズを検知し、原稿を原稿自動送り装置で送りながら光を走査し、反射光を受光して各原稿の画像を読み取り制御部３１に出力する。制御部３１は、読み取られた画像を画像処理部において補正など各種画像処理を行い、読取順序とともにメモリに記憶し、画像をメモリから順次読み出してトナー像作成のための書込信号を作成する。給紙部３２は種々の紙質や大きさの記録媒体を収納し、適宜、転写装置３３に送る。転写装置３３は、制御部３１で作成された書込信号の入力を受けて、トナー色ごとに設けられた感光体を帯電、露光及び現像して表面にトナー像を形成し、感光体に連動して回転する中間転写ベルトに各トナー色のトナー像を重ねて一次転写し、給紙部３２から送られる記録媒体に一括して二次転写する。定着装置３４は二次転写された記録媒体を加熱ローラと加圧ローラとで構成される定着ローラにはさんで加熱しながら加圧してトナー像を記録媒体に定着させる。定着装置３４で定着された記録媒体は、裏面に画像形成する際には、反転部３６で反転されて再び転写装置３３に送られて裏面に画像形成され、画像形成が終了すれば排紙部３５に送られて排紙トレイ等に排紙される。電源システム２７は、複写装置２の動作に必要な電力を供給する。
【００１６】
電源システム２７は、図３の回路図に示すように、燃料電池４０と第１ダイオード４１とヒューズ４２と定電流装置４３とスイッチ４４と蓄電装置４５と蓄電制御回路４６とサーミスタ４７とマイコン４８と第２ダイオード４９と補機５０と補機制御回路５１と電圧調整器５２とを有する。
【００１７】
燃料電池４０は、図４の概略のブロック図に示すように、燃料電池セルスタック６１と燃料タンク６２と水タンク６３と混合タンク６４と燃料ポンプ６５と水ポンプ６６と循環ポンプ６７と空気ブロワ６８と凝縮器６９と吸気口７０と排気口７１とを有した、DMFC(Direct Methanol Fuel Cell)直接メタノール型燃料電池である。燃料電池４０から電源を供給することにより、ACコードレス化を図ることができる。
【００１８】
燃料電池セルスタック６１は、１または複数の燃料電池セルを搭載している。各セルはアノード６２とカソード６３と電解質膜６４とをもっている。アノード６２は燃料極とも呼ばれ、メタノールを電気化学的酸化する触媒（メタノール酸化電極触媒）をもつ。カソード６３は空気極とも呼ばれ、酸素を選択的に電気化学的還元する触媒（酸素還元電極触媒）をもつ。電解質膜６４は、アノード６２とカソード６３との間に挟み込まれている。アノード６２にメタノール水溶液が供給されるとともにカソード６３に空気が供給されると、電解質膜６４を通じてイオンが移動し、アノード６２側で二酸化炭素が発生するとともにカソード６３側で水が発生し、さらに、アノード６２とカソード６３との間に電力が生じる。燃料タンク６２は高濃度のメタノールを収容し、水タンク６３は水を収容し、混合タンク６４は、メタノールを水で希釈したメタノール水溶液を収容している。燃料ポンプ６５は、発電によりメタノールが消費されて混合タンク６４内の濃度が薄くなると、間欠動作して燃料タンク６２から高濃度のメタノールを混合タンク６４に送り込むことにより、混合タンク６４内のメタノールの濃度を一定に保っている。水ポンプ６６は、混合タンク６４のメタノール水溶液の量が少なくなると間欠動作し、水タンク６３の水を混合タンク６４に送り込む。循環ポンプ６７は、メタノール水溶液を混合タンク６４から燃料電池セルスタック６１のアノード６２に供給し、アノード６２を通過したメタノール及び水と、アノード６２側で発生した二酸化炭素とを混合タンク６４に戻す。混合タンク６４に送られた余分な水は水蒸気として、二酸化炭素とともに混合タンク６４から水タンク６３に排出される。空気ブロワ６８は、カソード６３に空気を供給する。凝縮器６９は、カソード６３で生成された水蒸気と空気中の窒素と未反応の酸素とを回収し、回収された気体と吸気口７０を通じて画像形成装置の外部から流入した外気との間で熱交換を行うことにより、水蒸気を液体の水に凝縮して水タンク６３に送り込むとともに、気体及び蒸気の一部を冷却して排気口７１から画像形成装置の外部へ排出する。
【００１９】
図３の回路図に示すように、燃料電池セルスタック６１から流れ出る全出力電流は、第１ダイオード４１とヒューズ４２と定電流装置４３とを順番に流れる。
【００２０】
第１ダイオード４１は、燃料電池セルスタック６１の出力電圧が何らかのトラブルで低下し、電圧調整器に内蔵したコンデンサーの電圧より低くなったり、二次電池の電圧より低くなった場合に、燃料電池セルスタック６１に電流が逆流することを防止し、燃料電池セルスタック６１内で電気分解を生じて水素と酸素とを発生させたり、燃料電池セルスタック６１の特性を劣化させたりすることを防止する。
【００２１】
定電流装置４３は、ある値以上の電流が流れないように制御する回路であり、スイッチング方式やドロッパー方式で制御され燃料電池セルスタック６１の内部抵抗での電力損失を低減し、定電流装置４３自身の損失をより小さくするためにスイッチング方式で構成されることが好ましい。燃料電池セルスタック６１からの全出力電流を定電流装置４３へ経由させることにより、燃料電池セルスタック６１から常に一定の電流を取り出すことができる。
【００２２】
蓄電装置４５の寿命を長くするためには少ない電流で充電することが望ましいが、充電電流があまり少ないと、充電に時間がかかり、例えば、完全に空になった蓄電装置４５を0.05C（1AHの二次電池を1Aで充電する充電条件が1C）で充電する場合、燃料電池４０を20時間動作させる必要がある。燃料電池４０は取り出す電流×時間に燃料消費が比例しないため、長時間かけて小電流を取り出すと燃料を大量に消費する。一方、Cが大きすぎると蓄電装置４５が充電時に発熱し寿命や故障の点で望ましくなく、10C以上で充電すると、充電の途中で二次電池の表面温度が50℃を超え破損の恐れがある。そのため、10C未満0.05Cより大きな充電条件の範囲で蓄電装置４５を充電するように定電流装置４３を設定することが望ましい。
【００２３】
定電流装置４３を経由した電流は２つの経路に分かれ、一方の電流は、スイッチ４４をがON状態の場合に蓄電装置４５を充電し、他方の電流は、スイッチ４４のON/OFFにかかわらず、補機５０及び電圧調整器５２に流れ込む。
【００２４】
蓄電装置４５は、ニッケル水素電池などの二次電池や電気二重層を利用したスーパーキャパシタなどで構成され、負荷を動作させるのに十分な電力を供給可能な主電源としての能力をもつ。一方、燃料電池４０は、負荷を動作させるのに十分な電力を供給する能力を必要としない。燃料電池４０よりも蓄電装置４５のほうが同じ電力を小さな体積で供給できるため、燃料電池４０から、負荷を動作させるのに十分な電力を供給する場合に比較して、格段に体積を少なく構成することができる。蓄電装置４５は、負荷を動作させるのに十分な電力を供給できない燃料電池であっても充電することができるため、燃料電池セルスタック６１からの電流を主に蓄電装置の充電に用いることにより、電源システム２７全体を小型軽量な構成とすることができる。
【００２５】
蓄電制御回路４６は、蓄電装置４５の電圧を検出し、検出した電圧を分圧した電圧Vrと予め設定した基準電圧とをコンパレータで比較する。蓄電制御回路４６は、電圧Vrが基準電圧より高ければコンパレータからＨ信号を出力し、電圧Vrが基準電圧より低ければコンパレータからＬ信号を出力する。基準電圧は、蓄電装置４５が過充電となって発熱する電圧よりも低いことが望ましい。
【００２６】
サーミスタ４７は、蓄電装置４５の温度が高いほど抵抗値を小さくして電圧Vsを上昇させ、蓄電装置４５の温度が低いほど抵抗値を小さくして電圧Vsを低下させる。
【００２７】
マイコン４８は、蓄電制御回路４６からＨ信号の入力を受けると、スイッチ４４にＬ信号を出力する。マイコン４８は、Vsがしきい値を超えると、スイッチ４４にＬ信号を出力する。マイコン４８は、蓄電制御回路４６からＬ信号の入力を受け、かつ、Vsがしきい値以下であるとき、スイッチ４４にＨ信号を出力する。
【００２８】
スイッチ４４は、マイコン４８からＨ信号の入力を受けると、ON状態となって蓄電装置４５への充電を行い、マイコン４８から信号Ｌの入力を受けると、OFF状態となって蓄電装置４５への充電を停止させる。
【００２９】
第２ダイオード４９は、スイッチ４４と並列に接続され、スイッチ４４がOFFの状態で蓄電装置４５に充電電流が流れ込まないようにしながら、蓄電装置４５から負荷や補機へ電流を供給する。第２ダイオード４９を介して蓄電装置４５から電圧調整機へ電流を供給する方式は、例えば負荷が大きくなったときにスイッチで蓄電装置４５を電圧調整機に接続してパワーアシストする方式に比較して特別の制御回路や切り替え手段を設ける必要がないため装置を小型化できるとともに、燃料電池セルスタック６１からは一定の電流しか取り出していないにもかかわらず、蓄電装置４５から瞬時に負荷変動に対応した電流を供給することができる。
【００３０】
補機５０は、燃料電池４０の燃料ポンプ６５と水ポンプ６６と循環ポンプ６７と空気ブロワ６８とを含む機器である。補機制御回路５１は、補機５０の動作を制御する。電圧調整器５２は、燃料電池セルスタック６１及び蓄電装置４５から流れ込む電流を入力し、電圧変換して負荷５３を駆動する。負荷５３は、インクジェット記録装置１の各構成要素であり、負荷変動により例えば図５に示すような電流変化を生じる。
【００３１】
蓄電装置４５を分圧した電圧Vrがあらかじめ設定した基準電圧より高くなると、蓄電制御回路４６からマイコン４８へＨ信号が出力され、マイコン４８からスイッチ４４にＬ信号が出力され、スイッチ４４がOFF状態となって蓄電装置４５の充電が停止する。蓄電装置４５が過充電により発熱すると、サーミスタ４７の抵抗値が小さくなり、電圧Vsが上昇し、マイコン４８に設定したしきい値を超えると、マイコン４８からスイッチ４４にＬ信号が出力され、スイッチ４４がOFF状態となって蓄電装置４５の充電が停止する。電圧Vrがあらかじめ設定した基準電圧より低くなり蓄電制御回路４６からマイコン４８へＬ信号が出力され、かつ、サーミスタ４７の抵抗値が大きくなり電圧Vsが低下しマイコン４８に設定したしきい値以下になると、マイコン４８からスイッチ４４にＨ信号が出力され、スイッチ４４がON状態となって蓄電装置４５が充電される。スイッチ４４のON/OFFを制御することにより、負荷の小さい状態が長く続く場合であっても蓄電装置４５が充電され続けて過充電になることを防止することができる。
【００３２】
第１の実施形態のインクジェット記録装置１によれば、電源システム２７において燃料電池セルスタック６１からの全出力電流を定電流装置４３を経由させることにより燃料電池セルスタック６１から常に一定の電流を取り出すとともに、負荷変動による変動分の電流を蓄電装置４５から取り出すことにより、等価的に燃料電池セルスタック６１から外部を見た場合にあたかも負荷変動がない状態を作り出し、燃料電池セルスタック６１の内部抵抗による損失を少なくし、電力の利用効率を高めながら、画像形成を行うことができる。第１の実施形態のインクジェット記録装置１によれば、燃料電池セルスタック６１から出力側を見た場合に等価的に定電流負荷へ電力を供給するのと同じにすることができる。
【００３３】
なお、電源システム２７は、サーミスタ４７で蓄電装置４５の温度を検出するほか、熱電対やサーモパイルなどで温度を検出するものであってもよい。電源システム２７は、蓄電装置４５の温度が、あらかじめ定めた温度（例えば60℃）を超えたら、充電の異常として警報を発したりシステムを停止するものであってもよい。
【００３４】
第２の実施形態のインクジェット記録装置は、第１の実施形態のインクジェット記録装置１において電源システム２７にかえて電源システム５４を備える。電源システム５４は、図６の回路図に示すように、電源システム２７の定電流装置４３を除いて短絡させた構成において、定電圧装置５５を備える。
【００３５】
定電圧装置５５は、第１ダイオード４１及びヒューズ４２と電圧調整機５２との間において燃料電池セルスタック６１の電圧を検出し、検出した電圧を分圧した電圧Vfとあらかじめ設定した基準電圧とをコンパレータで比較する。定電圧装置５５は、電圧Vfがあらかじめ設定した基準電圧より高ければコンパレータからＨ信号を出力し、電圧Vfが基準電圧より低ければコンパレータからＬ信号を出力する。
【００３６】
マイコン４８は、第１の実施形態の動作に加えて、定電圧装置５５からＨ信号の入力を受けると、スイッチ４４にＬ信号を出力し、定電圧装置５５からＬ信号の入力を受けると、スイッチ４４にＨ信号を出力する。
【００３７】
電圧Vfがあらかじめ設定した基準電圧より高くなると、定電圧装置５５からマイコン４８へＨ信号が出力され、マイコン４８からスイッチ４４にＨ信号が出力され、スイッチ４４がON状態となって蓄電装置４５が充電される。電圧Vfがあらかじめ設定した基準電圧より低くなると、定電圧装置５５からマイコン４８へＬ信号が出力され、マイコン４８からスイッチ４４にＬ信号が出力され、スイッチ４４がOFF状態となって蓄電装置４５の充電が停止し、燃料電池セルスタック６１から取り出される電流が減少する。スイッチ４４のON/OFF動作を高速に行うことにより、燃料電池セルスタック６１の出力電圧を一定にすることができる。
【００３８】
第２の実施形態のインクジェット記録装置によれば、電源システム５４に定電圧装置５５を備えることにより燃料電池セルスタック６１からの出力電圧を一定にすることにより、等価的に燃料電池セルスタック６１から外部を見た場合にあたかも負荷変動がない状態を作り出し、電力の利用効率を高めながら画像形成を行うことができる。第２の実施形態のインクジェット記録装置によれば、燃料電池セルスタック６１から出力側を見た場合に等価的に定電圧負荷へ電力を供給するのと同じにすることができる。
【図面の簡単な説明】
【００３９】
【図１】インクジェット記録装置の構成図である。
【図２】複写機の構成図である。
【図３】電源システムの回路図である。
【図４】燃料電池のブロック図である。
【図５】インクジェット記録装置の電流変化を示す波形図である。
【図６】他の電源システムの回路図である。
【符号の説明】
【００４０】
１；インクジェット記録装置、２；複写装置、１０；給紙トレイ、１１；給紙ローラ、
１２；レジストローラ、１３；搬送ベルト、１４；駆動ローラ、１５；用紙搬送ローラ、
１６；ラインフィードモータ、１７；用紙押さえローラ、１８；排紙トレイ、
１９；シャフト、２０；キャリッジ、２１；記録ヘッドカートリッジ、
２２；記録ヘッド、２３；ケーブル、２４；キャリッジモータ、２５；ワイヤ、
２６；HPセンサ、２７；電源システム、２８；制御部、３０；画像読取部、
３１；制御部、３２；給紙部、３３；転写装置、３４；定着装置、３５；排紙部、
３６；反転部、４０；燃料電池、４１；第１ダイオード、４２；ヒューズ、
４３；定電流装置、４４；スイッチ、４５；蓄電装置、４６；蓄電制御回路、
４７；サーミスタ、４８；マイコン、４９；第２ダイオード、５０；補機、
５１；補機制御回路、５２；電圧調整器、５３；負荷、５４；電源システム、
５５；定電圧装置、６１；燃料電池セルスタック、６２；燃料タンク、６３；水タンク、
６４；混合タンク、６５；燃料ポンプ、６６；水ポンプ、６７；循環ポンプ、
６８；空気ブロワ、６９；凝縮器、７０；吸気口、７１；排気口。
【図１】
2006236610.tif 000003
【図２】
2006236610.tif 000004
【図３】
2006236610.tif 000005
【図４】
2006236610.tif 000006
【図５】
2006236610.tif 000007
【図６】
2006236610.tif 000008